(57)【要約】      （修正有）【課題】必要に応じて箱芯材の表面に貼付けて貼箱を作製することができる装飾シートを提供する。【解決手段】多角形状の中央板部２２の各辺に側板部２３、２４、２５、２６を備える箱芯材の表面を被覆する装飾シート材２１を有する装飾シート２０であり、装飾シート２０は、裏面に粘着層２１ａを有する装飾シート材２１と、粘着層２１ａに貼着する剥離シート材４１とを有し、装飾シート材２１は、箱芯材の表面を被覆する外形を有し、剥離シート材４１は、装飾シート材２１の外形に合致する合致部分４２、４３、４４、４５、４６、４７、４８と、装飾シート材２１の外形の一部から延在し、剥離シート材４１の全体を装飾シート材２１から剥がす延在部分４９とを有している。【選択図】図２
0003196743.tif 000002
【実用新案登録請求の範囲】
【請求項１】
多角形状の中央板の各辺に側板を備える箱芯材の表面を被覆する装飾シート材を有する装飾シートであって、
前記装飾シートは、裏面に粘着層を有する装飾シート材と、前記粘着層に貼着する剥離シート材と、を有し、
前記装飾シート材は、前記箱芯材の表面を被覆する外形を有し、
前記剥離シート材は、前記装飾シート材の外形に合致する合致部分と、前記装飾シート材の外形の一部から延在し、当該剥離シート材の全体を前記装飾シート材から剥がす延在部分と、を有していることを特徴とする装飾シート。
【請求項２】
前記装飾シート材は、前記中央板の表面を被覆する中央板部と、前記各側板の表面を被覆する側板部と、隣接する当該側板部のいずれか一方の側端縁に設けられた第一折込部と、前記側板部の前記中央板部と対向する端縁に設けられた第二折込部とを備え、
前記剥離シート材は、前記装飾シート材の前記側板部と前記第一折込部との間の少なくとも１箇所を除いて前記延在部分を備えている請求項１に記載の装飾シート。
【請求項３】
前記延在部分は、前記装飾シート材の前記側板部と前記第一折込部との間の１箇所に備えられている請求項２に記載する装飾シート。
【考案の詳細な説明】
【技術分野】
【０００１】
本考案は、箱芯材を被覆する装飾シート材を備えた装飾シートに関する。
【背景技術】
【０００２】
従来、チップボール材等の箱芯材を組み立てて箱状とし、この表面に、例えば印刷などで装飾が施された薄紙等の装飾シート材を被覆して完成させる、いわゆる貼箱が知られている。貼箱は、表面が装飾シート材で覆われるため外観体裁が良好であり贈答品等の包装用箱として広く用いられる。
【０００３】
貼箱の一般的な作成方法としては、まず、チップボール材等の箱芯材を箱の展開形状に作成し、底板（又は天板）に対して側板を立ち上げ、隣接する側板の端縁同士を粘着テープ等で固定して箱状に組み立てる。次に、薄紙等の装飾シート材の裏面に膠を塗布し、箱芯材の表面を覆うように貼り付けて完成させる。しかし、このような貼箱は、膠を塗布した装飾シート材を箱芯材に貼る作業等が煩雑で、しかも薄い装飾シート材を良好な仕上がりで貼るためには熟練の技術が必要である。
【０００４】
また、このような貼箱は一旦完成させると組立て箱（トムソン箱）のように折り畳むことができずに嵩張るため、輸送コストが高く、広い保管スペースを必要とする等の問題がある。
【０００５】
これを解決する先行技術として、一旦組立形成された貼箱の四隅部を裁断して扁平状に展開し、次いでこの展開貼箱の裁断辺縁を接着して再度組立てて保形する貼箱が提案されている（例えば、特許文献１参照）。この貼箱によれば、扁平状とすることで省スペース化を図り、輸送コストを削減できるという利点がある。
【先行技術文献】
【特許文献】
【０００６】
【特許文献１】特開平７−６１４４１号公報
【考案の概要】
【考案が解決しようとする課題】
【０００７】
しかし、上記貼箱を使用する際には、裁断された四隅部の夫々を接着手段、例えば接着剤によって接着することで再度貼箱に組み立てて保形して使用する必要があり、接着剤の塗布や組み立て作業が煩雑であり、また接着剤のはみ出しによって外観が損なわれる場合がある。
【０００８】
そこで、本考案は、必要に応じて箱芯材の表面に貼付けて貼箱を作製することができる装飾シートを提供することを目的とする。
【課題を解決するための手段】
【０００９】
上記目的を達成するために、本考案は、多角形状の中央板の各辺に側板を備える箱芯材の表面を被覆する装飾シート材を有する装飾シートであって、前記装飾シートは、裏面に粘着層を有する装飾シート材と、前記粘着層に貼着する剥離シート材と、を有し、前記装飾シート材は、前記箱芯材の表面を被覆する外形を有し、前記剥離シート材は、前記装飾シート材の外形に合致する合致部分と、前記装飾シート材の外形の一部から延在し、当該剥離シート材の全体を前記装飾シート材から剥がす延在部分と、を有している。なお、この明細書及び実用新案登録請求の範囲の書類中における「剥離シート材の全体を装飾シート材から剥がす」は、装飾シート材の外形に合致する剥離シート材の一端から他端までの全体を剥がすことをいう。
【００１０】
この構成により、装飾シート材の粘着層に貼着された剥離シート材を、延在部分を持って容易に剥がすことができ、剥離シート材を剥がした装飾シート材を箱芯材の表面に貼付けることで容易に貼り箱を作製することができる。これにより、組立て前の平板状の箱芯材と装飾シートとを低コストで搬送することができ、使用場所などで必要に応じて貼箱を作製することができる。
【００１１】
また、前記装飾シート材は、前記中央板の表面を被覆する中央板部と、前記各側板の表面を被覆する側板部と、隣接する当該側板部のいずれか一方の側端縁に設けられた第一折込部と、前記側板部の前記中央板部と対向する端縁に設けられた第二折込部とを備え、前記剥離シート材は、前記装飾シート材の前記側板部と前記第一折込部との間の少なくとも１箇所を除いて前記延在部分を備えていてもよい。
【００１２】
このように構成すれば、剥離シート材側から見た装飾シートの外形に非対称の部分ができるため、装飾シート材の向きを剥離シート材側から認識することができる。これにより、装飾シート材の貼着時には、装飾シート材の向きを適した向きにすることが容易にでき、装飾シート材の側板部と第一折込部との間の隅部に備えられた延在部分を持って剥離シート材を容易に剥がすことができる。
【００１３】
また、前記延在部分は、前記装飾シート材の前記側板部と前記第一折込部との間の１箇所に備えられていてもよい。
【００１４】
このように構成すれば、装飾シート材の側板部と第一折込部との間の１箇所から延在部分を持って剥離シート材全体を装飾シート材から剥がすようにでき、剥離シート材の剥がす方向を特定することができる。しかも、装飾シート材の向きを剥離シート材側から容易に認識することができる。
【考案の効果】
【００１５】
本考案によれば、必要に応じて箱芯材の表面に貼付けて箱を作製できる装飾シートを提供することが可能となる。
【図面の簡単な説明】
【００１６】
【図１】本考案に係る装飾シートの第１実施形態を示す分解斜視図である。
【図２】図１に示す装飾シートの平面図である。
【図３】箱芯材展開体を示す平面図である。
【図４】図２に示す装飾シートから剥離シート材を剥がす状態を示す斜視図である。
【図５】（Ａ）〜（Ｃ）は、箱芯材に装飾シート材を貼着する手順を示す斜視図である。
【図６】本発明に係る装飾シートの第２実施形態を示す平面図である。
【図７】本発明に係る装飾シートの第３実施形態を示す平面図である。
【図８】本発明に係る装飾シートの第４実施形態を示す斜視図である。
【考案を実施するための形態】
【００１７】
以下、本考案の実施形態について、図１〜図８に基づいて説明する。以下の実施形態では、矩形状の貼箱を例に説明する。
【００１８】
図１に示す第１実施形態に係る装飾シート２０は、表面に印刷が施された装飾シート材２１と、この装飾シート材２１の裏面に設けられた粘着層２１ａに剥離シート材４１が貼られたシートとなっている。この装飾シート２０は、使用時には粘着層２１ａから剥離シート材４１を剥がし、装飾シート材２１を箱芯材５０（図５）に貼着して使用する。
【００１９】
図２に示すように、装飾シート２０は、装飾シート材２１の裏面に設けられた粘着層２１ａに剥離シート材４１が貼られて一体となっている。装飾シート材２１は、四角形の中央板部２２の各辺に夫々側板部２３、２４、２５、２６を連設している。中央板部２２は箱芯材展開体５１（図３）の中央板５２と略同一寸法の同一形状に形成しており、側板部２３、２４、２５、２６は箱芯材展開体５１の側板５３、５４、５５、５６と略同一寸法の同一形状に形成している。中央板部２２は箱芯材５０の中央板５２の表面を被覆し、側板部２３、２４、２５、２６は箱芯材５０の側板５３、５４、５５、５６の表面を被覆する部材である。
【００２０】
また、装飾シート材２１は、側板部２３の両側縁に第一折込部２７を、側板部２５の両側縁に第一折込部２８を夫々連設している。言い換えれば、隣接する側板部２３と２４のうち一方の側板部２３の側端縁、隣接する側板部２４と２５のうち一方の側板部２５の側端縁、隣接する側板部２５と２６のうち一方の側板部である側板部２５の側端縁、及び隣接する側板部２６と２３のうち一方の側板部２３の側端縁に、夫々第一折込部２７、２８を備えている。第一折込部２７、２８は、後述する工程において、箱芯材５０の側板５４、５６に貼着する部材である。
【００２１】
また、装飾シート材２１は、側板部２３の中央板部２２と対向する端縁に第二折込部２９を、側板部２４の中央板部２２と対向する端縁に第二折込部３０を、側板部２５の中央板部２２と対向する端縁に第二折込部３１を、側板部２６の中央板部２２と対向する端縁に第二折込部３２を夫々連設している。第二折込部２９、３０、３１、３２は、後述する工程において、側板５３、５４、５５、５６の開口側の端面及び内側上部を被覆する部材である。このように、装飾シート材２１は箱芯材５０を被覆する外形を形成している。
【００２２】
次に、剥離シート材４１について説明する。剥離シート材４１は、装飾シート材２１の裏面に設けられた粘着層２１ａに貼られた状態で、装飾シート材２１の第二折込部２９、３０、３１、３２の中央板部２２と対向する端縁と外形が合致する合致部分４２、４３、４４、４５を有する大きさに形成されている。
【００２３】
また、装飾シート材２１の側板部２６の側端縁及び第二折込部３２の側端縁から第一折込部２７の外端縁にかけて外形が合致する合致部分４６、側板部２６の側端縁及び第二折込部３２の側端縁から第一折込部２８の外端縁にかけて外形が合致する合致部分４７、及び側板部２４の側端縁及び第二折込部３０の側端縁から第一折込部２８の外縁端にかけて外形が合致する合致部分４８を有している。言い換えれば、側板部２６と第一折込部２７との間に合致部分４６を、側板部２６と第一折込部２８との間に合致部分４７を、側板部２４と第一折込部２８との間に合致部分４８を備えている。
【００２４】
そして、剥離シート材４１は、側板部２４の側端縁及び第二折込部３０の側端縁と、これに隣接する第一折込部２７の外端縁との間から延在する延在部分４９を有している。言い換えれば、装飾シート材２１の外形の一部である側板部２４と第一折込部２７との間に延在部分４９を備えている。
【００２５】
この実施形態では、側板部２６の側端縁及び第二折込部３２の側端縁と第一折込部２７，２８の外端縁との間の２箇所と、側板部２４の側端縁及び第二折込部３０の側端縁と第一折込部２７，２８の外端縁との間の２箇所と、の合計４箇所の内の１箇所に延在部分４９を備えている。延在部分４９は、少なくとも１箇所を除いて備えられていれば、剥離シート材４１側から見た装飾シート２０の外形の対向する部分に非対称の部分ができるため、剥離シート材４１側からでも装飾シート材２１の向きを認識することができる。
【００２６】
従って、剥離シート材４１の外形は、合致部分４２、４３、４４、４５、４６、４７、４８と、延在部分４９とからなり、しかも、対向する一方の辺部分（合致部分４６、４２、延在部分４９が成す外形）と他方の辺部分（合致部分４７、４４、４８が成す外形）が非対称の外形であるとともに、対向する右側の辺部分（合致部分４８、４３、延在部分４９が成す外形）と、左側の辺部分（合致部分４7、４５、４６が成す外形）もまた非対称の外形であり、さらに、延在部分４９を有する隅部分と夫々対向する合致部分４６、４７、４８を有する隅部ともまた非対称の外形である。そのため、剥離シート材４１側からでも、装飾シート材２１の向きを認識することができる。このように、剥離シート材４１に、剥離シート材４１そのものの機能と、装飾シート材２１の向きを認識させる機能とを兼ねさせている。
【００２７】
なお、本実施形態においては、側板部２４と第一折込部２７との間のみに延在部分４９を備えるため、余分な材料を必要とせずに辺部分及び隅部分が非対称の外形を形成している。
【００２８】
次に、図３に基づいて、箱芯材５０について説明する。本実施形態の箱芯材５０は、チップボールを用いて作成されている。箱芯材５０を展開した状態の箱芯材展開体５１は、四角形の中央板５２の前後左右辺に夫々側板５３、５４、５５、５６を半切線を介して連設している。本実施形態においては中央板５２が底板となる。従って、箱芯材５０は、このような展開状態のまま、必要に応じて保管、輸送することができる。
【００２９】
次に、装飾シート２０を用いた箱６０の形成について、図４、図５Ａ〜図５Ｃに基づいて説明する。箱６０の形成としては、箱芯材展開体５１を箱状にして箱芯材５０とし、その表面に装飾シート材２１を貼付けて被覆する。
【００３０】
まず、図３に示す箱芯材展開体５１の中央板５２から側板５３、５４、５５、５６を立ち上げ、隣接する側板５３と側板５４、側板５４と側板５５、側板５５と側板５６、側板５６と側板５３の側端縁同士を粘着テープＴで固着して、箱状の箱芯材５０とする（図５Ａに示す状態の箱芯材５０）。
【００３１】
次に、装飾シート２０の剥離シート材４１面側を上側として所定の箱作製位置に設置する。このとき、装飾シート材２１の印刷面が下側となり視認できなくなるが、前記の如く剥離シート材４１は対向する辺部分及び隅部分が非対称の外形を形成しているため、これを目印として容易に設置方向や位置を決めることができる。
【００３２】
次に、図４に示すように、延在部分４９に指を掛け、剥離シート材４１を上方に剥がすことで、粘着層２１ａから剥離シート材４１を分離して粘着層２１ａを露出させる。このとき、剥離シート材４１は、側板部２４及び第二折込部３０の側端縁から第一折込部２７の外端縁にかけての外形と剥離シート材４１の延在部分４９の間を基点として極めて容易に分離することができる。また、本実施形態の剥離シート材４１は、側板部２４と第一折込部２７との間にのみ延在部分４９を備えるため、余分な材料を必要とせずに延在部分４９の面積を広くして剥離作業の指掛けを容易としている。
【００３３】
次に、図５（Ａ）に示すように、中央板部２２と箱芯材５０の中央板５２とを位置合わせし、粘着層２１ａを介して貼着する。このとき、装飾シート材２１の裏面には粘着層２１ａがあるため膠等を塗布する必要がなく、容易に箱芯材５０に貼着することができる。
【００３４】
次に、図５（Ｂ）に示すように、一方の対向する側板部２５、２３を夫々立ち上げて側板５３、５５に貼着し、第一折込部２８、２７を隣接する側板５４、５６に貼着する。また、第二折込部３１、２９を側板５３、５５の内側に沿わせて貼着する（図５（Ｃ））。
【００３５】
次に、図５（Ｃ）に示すように、他方の対向する側板部２４、２６を立ち上げ、側板５４、５６に貼着するとともに、第二折込部３０、３２を側板５４、５６の内側に沿わせて貼着すれば、容易に箱６０が完成する。
【００３６】
次に、図６に示す第２実施形態の装飾シート１２０について説明する。この第２実施形態の装飾シート１２０は、剥離シート材１４１に、延在部分４９に加えて、側板部２４と第一折込部２８との間に延在部分１４８が設けられている。この場合、剥離シート材１４１の右側の辺部分（延在部分１４８、合致部分４３、延在部分４９が成す外形）と左側の辺部分（合致部分４７、４５、４６が成す外形）とが非対称の外形となる。また、延在部分４９を有する隅部と対向する合致部分４６を有する隅部、及び合致部分４７を有する隅部とが非対称の外形となる。さらに、延在部分１４８を有する隅部と対向する合致部分４６を有する隅部、及び合致部分４７を有する隅部とが非対称の外形となる。
【００３７】
この実施形態の装飾シート１２０によれば、延在部分４９又は延在部分１４８のいずれかを持って剥離シート材１４１の全体を剥がすことができるので、利き手などに応じて適した方向から剥離シート材１４１を剥がすことができる。この実施形態の装飾シート１２０における他の作用効果は、上記第１実施形態と同様であるため、説明は省略する。
【００３８】
次に、図７に示す第３実施形態の装飾シート２２０について説明する。この第３実施形態の装飾シート２２０は、剥離シート材２４１に、側板部２４と第一折込部２７との間及び第二折込部２９に連続するように延在部分１４９が設けられている。この場合、剥離シート材２４１の一方の辺部分（合致部分４６、延在部分１４９が成す外形）と他方の辺部分（合致部分４７、４４、４８）とが非対称の外形を成すとともに、図示する右側の辺部分（合致部分４８、４３、延在部分１４９が成す外形）と左側の辺部分（合致部分４７、４５、４６が成す外形）とが非対称の外形となる。さらに、延在部分１４９を有する隅部分と対向する合致部分４６、４７、４８を有する隅部ともまた非対称の外形となる。
【００３９】
この実施形態の装飾シート２２０によれば、延在部分１４９の面積を広くとることができ、特に装飾シート２２０の側板部２３、２４、２５，２６や第二折込部２９、３０、３１、３２の面積が小さい場合であっても指掛けをしやすくなり剥離シート材２４１の剥離が容易となる。この実施形態の装飾シート２２０における他の作用効果は、上記第１実施形態と同様であるため、説明は省略する。
【００４０】
また、図８に示す第４実施形態の装飾シート３２０は、上記図６に示す第２実施形態の装飾シート１２０の変形例であり、剥離シート材３４１に、中央部分で分断するスリットＳを設けている。このようにスリットＳを設けることによって、延在部分４９又は延在部分１４８の位置から対向する端部までの剥離シート材３４１を、スリットＳから半分全体を装飾シート材２１の粘着層２１ａから剥がすことができる。
【００４１】
この実施形態の装飾シート３２０によれば、延在部分４９又は延在部分１４８のいずれかを持って剥離シート材３４１を剥がすことで装飾シート材２１の半分の粘着層２１ａを出すことができるので、箱芯材５０の位置合せが難しい場合など、箱芯材５０の中央板５２の半分を装飾シート材２１の中央板部２２に先に貼着することができる。そのため、箱芯材５０の位置決めが難しい場合などでも、装飾シート材２１を効率良く貼着することができる。この実施形態の装飾シート３２０における他の作用効果は、上記第２実施形態と同様であるため、説明は省略する。
【００４２】
以上のような装飾シート２０、１２０、２２０、３２０によれば、箱６０を必要とする場所まで箱芯材５０とともに板状の平らな状態で搬送することができるので、搬送コストの大幅な低減が可能となる。そして、必要に応じて箱芯材５０の表面に装飾シート材２１を貼着して箱６０を作製することができるので、保管場所のスペースを大幅に小さくすることが可能となる。
【００４３】
しかも、装飾シート材２１の向きを延在部分４９、１４８、１４９の位置で認識することができるので、効率良く箱芯材５０に装飾シート材２１を貼ることができる。
【００４４】
なお、上記実施形態においては、第一折込部２７、２８を側板部２３、２５の側端縁に連設しているが、側板部２４、２６の側端縁に連設してもよい。即ち、隣接する側板部２３と２４との間、側板部２４と２５との間、側板部２５と２６との間、側板部２６と２３との間、の夫々のいずれか一方の側端縁に第一折込部２７、２８を備え、箱状とした箱芯材５０の隅部が第一折込部２７、２８によって被覆されるようになっていればよい。
【００４５】
また、箱芯材５０の中央板５２は四角形状に限定されるものではなく、三角形や五角形状等の多角形であってもよい。この場合、中央板部２２の形状も、中央板５２の形状に応じた略同一寸法で略同一形状に形成すればよい。
【００４６】
さらに、上記実施形態は一例であり、剥離シート材４１、１４１、２４１、３４１の合致部分や延在部分の配置、形状などは適宜変更してもよく、本考案の要旨を損なわない範囲での種々の変更は可能であり、本考案は上記した実施形態に限定されるものではない。
【符号の説明】
【００４７】
２０、１２０、２２０、３２０                装飾シート
２１                                        装飾シート材
２１ａ                                      粘着層
２２                                        中央板部
２３、２４、２５、２６                      側板部
２７、２８                                  第一折込部
２９、３０、３１、３２                      第二折込部
４１、１４１、２４１                        剥離シート材
４２、４３、４４、４５、４６、４７、４８    合致部分
４９、１４８、１４９                        延在部分
５０                                        箱芯材
５１                                        芯材展開体
５２                                        中央板
５３、５４、５５、５６                      側板
６０                                        箱
Ｔ                                          粘着テープ
Ｓ                                          スリット
【図１】
0003196743.tif 000003
【図２】
0003196743.tif 000004
【図３】
0003196743.tif 000005
【図４】
0003196743.tif 000006
【図５】
0003196743.tif 000007
【図６】
0003196743.tif 000008
【図７】
0003196743.tif 000009
【図８】
0003196743.tif 000010